(57)【要約】【課題】簡易な構成で静電気による表示制御部の誤動作を防止できる電子機器を提供すること。【解決手段】輝度センサ４７は、透過部２５１及びプリズム７０を介して外部から入射される入射光Ｌの輝度を検出すると共に、プリズム７０を介して表示面２６１の所定領域２６１ａから出射される表示光Ｌ２の輝度を検出する。筐体２内に静電気が侵入し、ドライバＩＣ４４が誤作動した場合に、制御部４５は、輝度センサ４７により検出された表示光Ｌ２の輝度に基づいて、ドライバＩＣ４４の設定情報をリフレッシュ処理する。【選択図】図４
2012203026.tif 000002
【特許請求の範囲】
【請求項１】
表示面を有する表示部と、
前記表示部を設定情報に基づいて制御する表示制御部と、
前記表示面から出射される表示光の輝度を検出する輝度検出部と、
前記表示光を反射して前記輝度検出部へ導く導光部材と、
前記輝度検出部により検出された前記表示光の輝度に基づいて、前記表示制御部の前記設定情報をリフレッシュ処理する制御部と、を備える電子機器。
【請求項２】
前記輝度検出部は、前記表示部の周縁における所定領域から出射される前記表示光の輝度を検出する請求項１に記載の電子機器。
【請求項３】
前記制御部は、前記輝度検出部により検出された前記表示光の輝度と、前記表示光の輝度を検出してから所定期間後に前記輝度検出部により検出された前記表示光の輝度との差が所定範囲外である場合には、前記表示制御部の前記設定情報をリフレッシュ処理する請求項１又は２に記載の電子機器。
【請求項４】
前記輝度検出部は、前記表示面の周縁における第１領域から出射される表示光の第１輝度を検出する第１輝度検出部と、前記表示面の前記第１領域とは異なる第２領域から出射される表示光の第２輝度を検出する第２輝度検出部と、を有し、
前記制御部は、前記第１輝度検出部により検出された前記第１輝度と前記第２輝度検出部により検出された前記第２輝度との差が所定の閾値内である場合には、前記表示制御部の前記設定情報をリフレッシュ処理する請求項１に記載の電子機器。
【請求項５】
前記表示制御部は、前記第１輝度と前記第２輝度との差が前記所定の閾値外となるような輝度の光を出射させるように制御する前記請求項４に記載の電子機器。
【請求項６】
前記導光部材は、プリズム又はミラーを含んで構成される請求項１から５のいずれか一項に記載の電子機器。
【請求項７】
前記輝度検出部は、前記表示面から出射される前記表示光の輝度を検出すると共に、外部から入射される入射光の輝度を検出する請求項１から６のいずれか一項に記載の電子機器。
【発明の詳細な説明】
【技術分野】
【０００１】
本発明は、表示部を有する電子機器に関する。
【背景技術】
【０００２】
従来より、携帯電話機等の電子機器は、表示部と、表示部を制御する表示制御部とを有している。このような電子機器では、電子機器内に静電気が侵入した場合に、表示制御部が静電気により誤作動してしまい、表示部に正しい情報が表示されない場合があった。
【０００３】
このような表示制御部の静電気による誤作動を防ぐために、表示装置を保持する金属フレームと、金属フレームに保持された表示装置に対応した位置に開口が形成された筐体カバーと、筐体カバーの開口を覆うように設けられる透明部材と、透明部材の開口側に対向する面に形成された金属箔を含む窓部材と、窓部材の金属箔と金属フレームを電気的に接続する導通部材とを備えた電子機器が提案されている（例えば、特許文献１参照）。
【先行技術文献】
【特許文献】
【０００４】
【特許文献１】特開２００６−１３５８４２号公報
【発明の概要】
【発明が解決しようとする課題】
【０００５】
しかし、特許文献１に記載の電子機器は、上記の構成を筐体内に別途設ける必要があり、筐体内の設計自由度が損なわれる可能性があった。
【０００６】
本発明は、簡易な構成で静電気による表示制御部の誤動作を防止できる電子機器を提供することを目的とする。
【課題を解決するための手段】
【０００７】
本発明は、表示面を有する表示部と、前記表示部を設定情報に基づいて制御する表示制御部と、前記表示面から出射される表示光の輝度を検出する輝度検出部と、前記表示光を反射して前記輝度検出部へ導く導光部材と、前記輝度検出部により検出された前記表示光の輝度に基づいて、前記表示制御部の前記設定情報をリフレッシュ処理する制御部と、を備える電子機器に関する。
【０００８】
また、前記輝度検出部は、前記表示部の周縁における所定領域から出射される前記表示光の輝度を検出することが好ましい。
【０００９】
また、前記制御部は、前記輝度検出部により検出された前記表示光の輝度と、前記表示光の輝度を検出してから所定期間後に前記輝度検出部により検出された前記表示光の輝度との差が所定範囲外である場合には、前記表示制御部の前記設定情報をリフレッシュ処理することが好ましい。
【００１０】
また、前記輝度検出部は、前記表示面の周縁における第１領域から出射される表示光の第１輝度を検出する第１輝度検出部と、前記表示面の前記第１領域とは異なる第２領域から出射される表示光の第２輝度を検出する第２輝度検出部と、を有し、前記制御部は、前記第１輝度検出部により検出された前記第１輝度と前記第２輝度検出部により検出された前記第２輝度との差が所定の閾値内である場合には、前記表示制御部の前記設定情報をリフレッシュ処理することが好ましい。
【００１１】
また、前記表示制御部は、前記第１輝度と前記第２輝度との差が前記所定の閾値外となるような輝度の光を出射させるように制御することが好ましい。
【００１２】
また、前記導光部材は、プリズム又はミラーを含んで構成されることが好ましい。
【００１３】
また、前記輝度検出部は、前記表示面から出射される前記表示光の輝度を検出すると共に、外部から入射される入射光の輝度を検出することが好ましい。
【発明の効果】
【００１４】
本発明によれば、簡易な構成で静電気による表示制御部の誤動作を防止できる電子機器を提供することができる。
【図面の簡単な説明】
【００１５】
【図１】携帯電話機の外観斜視図である。
【図２】携帯電話機の分解斜視図である。
【図３】携帯電話機の機能構成を示すブロック図である。
【図４】表示部及び輝度センサ周辺の構成を示す部分断面図である。
【図５】表示部及び輝度センサ周辺の他の構成を示す部分断面図である。
【図６】第１実施形態に係る携帯電話機の処理を示すフローチャートである。
【図７】第２実施形態に係る輝度センサ及び導光部材について示す平面図である。
【図８】第２実施形態に係る携帯電話機の処理を示すフローチャートである。
【発明を実施するための形態】
【００１６】
＜第１実施形態＞
以下、本発明を実施するための好ましい実施形態について、図面を参照しながら説明する。まず、本発明の電子機器の一実施形態に係る携帯電話機１の基本構造について、図１を参照しながら説明する。図１は、第１実施形態に係る携帯電話機１の外観斜視図である。
【００１７】
図１に示すように、携帯電話機１は、筐体２を備えると共に、この筐体２の前面１０に配置される操作部１１と、表示部２１と、スピーカ２２と、マイク２３とを備える。
操作部１１は、ユーザにより操作がなされる部材である。表示部２１は、文字情報や画像情報等の各種情報を表示するための装置である。スピーカ２２は、通話時に相手側の音声を出力するための装置である。マイク２３は、携帯電話機１のユーザが通話時に発した音声を入力するための装置である。
【００１８】
次に、図２を参照して、携帯電話機１の内部構成について説明する。図２は、携帯電話機１の分解斜視図である。
【００１９】
携帯電話機１は、フロントケース２ａと、リアケース２ｂと、バッテリリッド２ｃとを備える。フロントケース２ａとリアケース２ｂとは、互いの凹状の内側面が向き合うように配置され、互いの外周縁が重なり合うようにして結合される。また、リアケース２ｂの外面には、バッテリリッド２ｃがリアケース２ｂに対して着脱可能に結合される。また、携帯電話機１は、フロントケース２ａとリアケース２ｂとの間に、表示部２１と、キーシート３０を含む操作部１１と、メタルドームシート３１と、回路基板４０と、アンテナ６０と、バッテリ８０とが配置される。表示部２１と、操作部１１と、メタルドームシート３１と、回路基板４０と、アンテナ６０と、バッテリ８０とは、筐体２の厚さ方向（筐体２の内部側の方向又は筐体２の外部側の方向）において互いに支持し合うと共に、フロントケース２ａ及びリアケース２ｂにより挟持されて、筐体２の内部に設けられる。
【００２０】
表示部２１は、例えば、液晶ディスプレイや有機ＥＬ（エレクトロルミネッセンス）ディスプレイ等から構成される。
操作部１１は、キートップ１３、１４、１５とキーシート３０とから構成される操作対象である。キートップ１３、１４、１５は、直方体形状に形成された樹脂であり、キートップ１３、１４、１５は、フロントケース２ａに形成されている貫通穴１３ａ、１４ａ、１５ａを介して外部に露出する。
【００２１】
キーシート３０は、可撓性を有するゴムから形成されるシート状の部材である。キーシート３０における筐体２の外部側の面には、キートップ１３、１４、１５が設けられている。また、キーシート３０における筐体２の内部側の面には、キートップ１３、１４、１５に対応して、筐体２の内部側に突出した押し子が形成されている。
【００２２】
回路基板４０は、各種の制御を司る制御部４５をはじめとする多数の電子部品が実装されたリジッド基板である。回路基板４０の表面部４０ａ及び裏面部４０ｂに実装された電子部品は、導電性の回路パターンを通じて互いに電気的に接続されている。実装された電子部品は、回路パターンを通じて、互いに信号の授受を行っている。
【００２３】
アンテナ６０は、高周波信号に共振するアンテナエレメントである。本実施形態においては、アンテナ６０は、例えば、電話機能やメール機能を実行するための８００ＭＨｚ帯や２ＧＨｚ帯の高周波信号に共振するよう構成される。アンテナ６０は、給電部（図示せず）及び回路基板４０の回路パターンを介して制御部４５に接続されている。制御部４５は、アンテナ６０に共振される８００ＭＨｚ帯や２ＧＨｚ帯の信号に対して復調又は変調処理を行い、電話機能やメール機能を実行する。
バッテリ８０は、回路基板４０に実装された電子部品等に対して電力を供給する電源であり、例えば、リチウムイオン電池等で構成される。
【００２４】
このように携帯電話機１は、操作部１１を介してユーザが操作したり、表示部２１を介して各種情報を視認したり、アンテナ６０を利用して電話機能、メール機能、ＧＰＳ機能等を利用することができ、携帯電話機としての機能を発揮する。
【００２５】
次に、図３を参照しながら、携帯電話機１の機能構成について説明する。
図３は、第１実施形態の携帯電話機１の機能構成を示すブロック図である。携帯電話機１は、操作部１１と、表示部２１と、スピーカ２２と、マイク２３と、通信部６２と、画像処理部４１と、音声処理部４２と、記憶部４３と、ドライバＩＣ４４と、制御部４５と、バイブレータ４６と、輝度センサ４７と、を備える。
【００２６】
通信部６２は、アンテナ６０とＲＦ回路部６１とを備え、所定の通信先と通信を行う。通信部６２が通信を行う通信先としては、携帯電話機１と電話やメールの送受信を行う外部の端末装置や、携帯電話機１がインターネットの接続を行う外部のＷｅｂサーバ等の外部装置が挙げられる。
【００２７】
アンテナ６０は、所定の使用周波数帯で外部装置と通信を行う。
ＲＦ回路部６１は、アンテナ６０によって受信した信号を復調処理し、処理後の信号を制御部４５に供給する。また、ＲＦ回路部６１は、制御部４５から供給された信号を変調処理し、アンテナ６０を介して外部装置（基地局）に送信する。
【００２８】
画像処理部４１は、制御部４５の制御にしたがって、所定の画像処理を行い、処理後の画像データをドライバＩＣ４４に出力する。ドライバＩＣ４４は、画像処理部４１から供給された画像データをフレームメモリ（図示せず）に蓄え、所定のタイミングで表示部２１に出力する。
【００２９】
音声処理部４２は、制御部４５の制御にしたがって、ＲＦ回路部６１から供給された信号に対して所定の音声処理を行い、処理後の信号をスピーカ２２に出力する。スピーカ２２は、音声処理部４２から供給された信号を外部に出力する。
【００３０】
また、音声処理部４２は、制御部４５の制御にしたがって、マイク２３から入力された信号を処理し、処理後の信号をＲＦ回路部６１に出力する。ＲＦ回路部６１は、音声処理部４２から供給された信号に所定の処理を行い、処理後の信号をアンテナ６０に供給し、アンテナ６０により電波として外部に出力させる。
【００３１】
記憶部４３は、例えば、ワーキングメモリを含み、制御部４５による演算処理に利用される。また、記憶部４３には、携帯電話機１上で動作する様々なアプリケーションが利用するデータやテーブル等が格納されている。例えば、記憶部４３には、アドレス帳、電子メールが記憶されるメールＤＢ、各種辞書等が格納されている。なお、記憶部４３は、着脱可能な外部メモリであってもよい。
【００３２】
制御部４５は、携帯電話機１の全体を制御しており、表示部２１、画像処理部４１、音声処理部４２、バイブレータ４６、輝度センサ４７及び通信部６２に対して所定の制御を行う。
バイブレータ４６は、制御部４５にしたがって駆動して、振動を発生させる。バイブレータ４６は、振動を発生させることにより、ユーザに対して報知を行う。
輝度センサ４７は、表示部２１から出射される表示光の輝度を検出する。
【００３３】
図４は、図１の部分Ｃにおける表示部２１及び輝度センサ４７周辺の構成を示す部分断面図である。図４に示すように、表示部２１は、外面を保護するためのカバーガラス２５と、液晶パネル等で構成されるパネル部２６と、カバーガラス２５とパネル部２６との間に形成される樹脂部２７と、を備える。
【００３４】
輝度センサ４７は、パネル部２６に近接して配置され、カバーガラス２５に設けられた透過部２５１を介して外部から入射される入射光Ｌの輝度を検出する。
カバーガラス２５と、パネル部２６及び輝度センサ４７との間には、プリズム７０（導光部材）が設けられている。プリズム７０は、２つの反射面７０ａ及び７０ｂを有する。
【００３５】
プリズム７０は、透過部２５１を介して外部から入射される入射光Ｌを透過して、輝度センサ４７へ導く。
さらに、プリズム７０は、パネル部２６の表示面２６１の周縁における所定領域２６１ａから出射される表示光Ｌ２を、２つの反射面７０ａ及び７０ｂにより反射して、輝度センサ４７へ導く。表示面２６１の周縁における所定領域２６１ａとしては、例えば、表示面２６１の最外周の１ドット分の領域を用いることができる。
【００３６】
輝度センサ４７は、透過部２５１及びプリズム７０を介して外部から入射される入射光Ｌの輝度を検出すると共に、プリズム７０を介して表示面２６１の所定領域２６１ａから出射される表示光Ｌ２の輝度を検出する。
【００３７】
筐体２内に静電気が侵入し、ドライバＩＣ４４が誤作動した場合に、制御部４５は、輝度センサ４７により検出された表示光Ｌ２の輝度に基づいて、ドライバＩＣ４４の設定情報をリフレッシュ処理する。
【００３８】
具体的には、制御部４５は、所定期間Ｔ１ごとに輝度センサ４７により表示光Ｌ２の輝度を検出する。そして、制御部４５は、所定期間Ｔ１内に輝度センサ４７により検出された表示光Ｌ２の輝度Ｂ１と、輝度Ｂ１を検出した後の所定期間Ｔ１内に輝度センサ４７により検出された表示光Ｌ２の輝度Ｂ２との差Ｄを求める。制御部４５は、求めた差Ｄが所定範囲外であるか否かを判定する。ここで、筐体２内に静電気が侵入し、ドライバＩＣ４４が誤作動した場合には、制御部４５から供給された画像データが表示部２１において正しく表示されず、表示面２６１全体から白色又は黒色の光が出射される。そのため、ドライバＩＣ４４が誤作動した場合には、輝度Ｂ１と輝度Ｂ２との差Ｄが、ドライバＩＣ４４が正常に作動した場合よりも大きくなる。よって、所定範囲内としては、例えば、ドライバＩＣ４４が正常に作動した場合における輝度Ｂ１と輝度Ｂ２との差とすることができる。
【００３９】
制御部４５は、求めた差Ｄが所定範囲外である場合には、ドライバＩＣ４４の設定情報をリフレッシュ処理する。ここで、リフレッシュ処理とは、例えば、ドライバＩＣ４４をリセットし、記憶部４３に記憶された設定情報を新たにドライバＩＣ４４に書き込む処理をいう。一方、制御部４５は、差Ｄが所定範囲内である場合には、ドライバＩＣ４４に通常の表示処理を行わせる。なお、新たに書き込む情報は、初期設定情報でもよい。
【００４０】
図５は、導光部材としてミラー７１ａ及び７１ｂを用いた場合における表示部２１及び輝度センサ４７周辺の他の構成を示す部分断面図である。図５に示すように、ミラー７１ａ及び７１ｂは、パネル部２６の表示面２６１の周縁における所定領域２６１ａから出射される表示光Ｌ２を反射して、輝度センサ４７へ導く。
また、透過部２５１を介して外部から入射される入射光Ｌは、ミラー７１ｂを介さずに輝度センサ４７へ入射してもよい。
【００４１】
図６は、第１実施形態において、筐体２内に静電気が侵入し、ドライバＩＣ４４が誤作動した場合の携帯電話機１の処理を示すフローチャートである。
ステップＳ１において、制御部４５は、ドライバＩＣ４４により表示部２１に画像等を表示させる。
【００４２】
ステップＳ２において、制御部４５は、所定期間Ｔ１内における表示光Ｌ２の輝度Ｂ１を輝度センサ４７により検出する。
ステップＳ３において、制御部４５は、表示光Ｌ２の輝度Ｂ１を検出した後、所定期間Ｔ１内における表示光Ｌ２の輝度Ｂ２を輝度センサ４７により検出する。
【００４３】
ステップＳ４において、制御部４５は、輝度Ｂ１と輝度Ｂ２との差Ｄを求め、求めた差Ｄが所定範囲外であるか否かを判定する。差Ｄが所定範囲外である場合（ＹＥＳ）には、ステップＳ５へ進む。差Ｄが所定範囲内である場合（ＮＯ）には、ステップＳ３へ戻る。
ステップＳ５において、制御部４５は、ドライバＩＣ４４の設定情報をリフレッシュ処理する。
ステップＳ６において、制御部４５は、ドライバＩＣ４４による表示部２１への画像等の表示が停止されたか否かを判定する。表示が停止された場合（ＹＥＳ）には、処理を終了させる。表示が停止されない場合（ＮＯ）には、ステップＳ２へ戻る。
【００４４】
第１実施形態によれば、筐体２内に静電気が侵入し、ドライバＩＣ４４が誤作動した場合に、制御部４５は、輝度センサ４７により検出された表示光Ｌ２の輝度に基づいて、ドライバＩＣ４４の設定情報をリフレッシュ処理する。そのため、携帯電話機１は、輝度センサ４７及びプリズム７０（又はミラー７１ａ及び７１ｂ）のような簡易な構成により、静電気によるドライバＩＣ４４の誤作動を防止することができる。
【００４５】
また、輝度センサ４７は、プリズム７０を介して表示面２６１の所定領域２６１ａから出射される表示光Ｌ２の輝度を検出する。そのため、携帯電話機１は、表示面２６１の外部から目立たない領域を用いて、静電気によるドライバＩＣ４４の誤作動を好適に検出することができる。
【００４６】
また、制御部４５は、所定期間Ｔ１ごとに輝度センサ４７により表示光Ｌ２の輝度を検出する。そして、制御部４５は、所定期間Ｔ１内に輝度センサ４７により検出された表示光Ｌ２の輝度Ｂ１と、輝度Ｂ１を検出した後、所定期間Ｔ１内に輝度センサ４７により検出された表示光Ｌ２の輝度Ｂ２との差Ｄが所定範囲外である場合には、ドライバＩＣ４４の設定情報をリフレッシュ処理する。そのため、携帯電話機１は、定期的（所定期間Ｔ１ごと）にドライバＩＣ４４が誤作動しているか否かを監視でき、より適切に静電気によるドライバＩＣ４４の誤作動を検出することができる。
【００４７】
また、携帯電話機１は、導光部材としてプリズム７０又はミラー７１ａ及び７１ｂを用いることにより、簡易な構成で静電気によるドライバＩＣ４４の誤作動を防止することができる。
【００４８】
また、輝度センサ４７は、表示面２６１から出射される表示光Ｌ２の輝度を検出すると共に、外部から入射される入射光Ｌ１の輝度を検出する。そのため、携帯電話機１は、外部から入射される入射光Ｌ１の輝度を検出するという輝度センサ４７の機能を損なうことなく、静電気によるドライバＩＣ４４の誤作動を防止することができる。
【００４９】
＜第２実施形態＞
次に、本発明の電子機器に係る第２実施形態について説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。
【００５０】
第２実施形態に係る携帯電話機１は、複数の輝度センサ及び複数の導光部材を用いる点が第１実施形態とは異なる。
【００５１】
図７は、第２実施形態に係る輝度センサ及び導光部材について示す平面図である。図７に示すように、表示面２６１の左上部の周縁には、第１プリズム７２ａが設けられる。また、表示面２６１の左上部の周縁に近接して、第１輝度センサ４７ａが設けられる。
【００５２】
第１プリズム７２ａは、表示面２６１の左上部の周縁における第１領域２６２ａから出射される表示光Ｌ２を、第１輝度センサ４７ａへ導く。
第１輝度センサ４７ａは、第１プリズム７２ａにより導かれた表示光Ｌ２の第１輝度Ｂ１１を検出する。
【００５３】
また、表示面２６１の右下部の周縁には、第２プリズム７２ｂが設けられる。また、表示面２６１の右下部の周縁に近接して、第２輝度センサ４７ｂが設けられる。
第２プリズム７２ｂは、表示面２６１の右下部の周縁における第２領域２６２ｂから出射される表示光Ｌ２を、第２輝度センサ４７ｂへ導く。
第２輝度センサ４７ｂは、第２プリズム７２ｂにより導かれた表示光Ｌ２の第２輝度Ｂ１２を検出する。なお、第２実施形態において、上記以外の構成は、第１実施形態の構成と同様の構成である。
【００５４】
ここで、ドライバＩＣ４４は、第１輝度Ｂ１１と第２輝度Ｂ１２とを異なる輝度の光で出射させるように制御する。具体的には、ドライバＩＣ４４は、表示面２６１の他の領域から出射される表示光の輝度にかかわらず、表示面２６１の第１領域２６２ａから常に赤色光が出射されるように制御し、かつ表示面２６１の第２領域２６２ｂから常に黄色光が出射されるように制御する。
【００５５】
そして、制御部４５は、第１輝度センサ４７ａにより検出された第１輝度Ｂ１１と、第２輝度センサ４７ｂにより検出された第２輝度Ｂ１２との差が所定の閾値内（差が同一を含む）であるか否かを判定する。制御部４５は、第１輝度Ｂ１１と、第２輝度Ｂ１２との差が所定の閾値内である場合には、ドライバＩＣ４４の設定情報をリフレッシュ処理する。
【００５６】
通常、ドライバＩＣ４４は、第１輝度Ｂ１１と第２輝度Ｂ１２とを異なる輝度の光で出射させているが、静電気によりドライバＩＣ４４が誤動作した場合には、表示面２６１全体から白色又は黒色の光が出射されるため、第１輝度Ｂ１１と第２輝度Ｂ１２との差が小さくなるか同一となる。したがって、第２実施形態に係る携帯電話機１は、第１輝度Ｂ１１と第２輝度Ｂ１２との差が所定の閾値内である場合には、ドライバＩＣ４４の設定情報をリフレッシュ処理することにより、静電気によるドライバＩＣ４４の誤作動を防止することができる。また、携帯電話機１は、第１輝度センサ４７ａ及び第２輝度センサ４７ｂを用いているため、より正確に静電気によるドライバＩＣ４４の誤作動を防止することができる。また、携帯電話機１は、互いに離れた位置に配置された第１輝度センサ４７ａ及び第２輝度センサ４７ｂを用いているため、一方の輝度センサがユーザの指等で塞がれた場合であっても、他方の輝度センサにより外部からの入射光Ｌ１の輝度を検出することができる。
【００５７】
図８は、第２実施形態において、筐体２内に静電気が侵入し、ドライバＩＣ４４が誤作動した場合の携帯電話機１の処理を示すフローチャートである。
ステップＳ１１において、制御部４５は、ドライバＩＣ４４により表示部２１に画像等を表示させる。
【００５８】
ステップＳ１２において、制御部４５は、所定期間Ｔ１内に第１輝度Ｂ１１を第１輝度センサ４７ａにより検出させ、かつ第２輝度センサ４７ｂにより第２輝度Ｂ１２を検出させるように制御する。
【００５９】
ステップＳ１３において、制御部４５は、第１輝度センサ４７ａにより検出された第１輝度Ｂ１１と、第２輝度センサ４７ｂにより検出された第２輝度Ｂ１２との差が所定の閾値内であるか否かを判定する。第１輝度Ｂ１１と第２輝度Ｂ１２との差が所定の閾値内である場合（ＹＥＳ）には、ステップＳ１４へ進む。第１輝度Ｂ１１と第２輝度Ｂ１２との差が所定の閾値内でない場合（ＮＯ）には、ステップＳ１１へ戻る。
ステップＳ１４において、制御部４５は、ドライバＩＣ４４の設定情報をリフレッシュ処理する。
ステップＳ１５において、制御部４５は、ドライバＩＣ４４による表示部２１への画像等の表示が停止されたか否かを判定する。表示が停止された場合（ＹＥＳ）には、処理を終了させる。表示が停止されない場合（ＮＯ）には、ステップＳ１２へ戻る。
【００６０】
以上、本発明の実施形態について説明したが、本発明は上述した実施形態に制限されるものではなく、適宜変更が可能である。
また、上述した実施形態において、電子機器としての携帯電話機１について説明したが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００６１】
１  携帯電話機（電子機器）
２１  表示部
４４  ドライバＩＣ（表示制御部）
４５  制御部
４７  輝度センサ（輝度検出部）
【図１】
2012203026.tif 000003
【図２】
2012203026.tif 000004
【図３】
2012203026.tif 000005
【図４】
2012203026.tif 000006
【図５】
2012203026.tif 000007
【図６】
2012203026.tif 000008
【図７】
2012203026.tif 000009
【図８】
2012203026.tif 000010